(57)【要約】【課題】回路遮断器の新旧製品に関係なく、新しい安全規格に準拠して回路遮断器のモールドケースに装着した端子カバーをねじ締結して外せないように固定でき、さらに端子カバーの着脱作業性改善に併せて、ねじ締結機能の信頼性向上が図れるように改良した回路遮断器の端子カバー取付構造を提供する。【解決手段】回路遮断器の端子部１ａを包囲してモールドケース１に装着した端子カバー４をねじ締結して固定する回路遮断器の端子カバー取付構造において、モールドケース１の端子部に穿孔されている遮断器取付用の取付穴１ｂを利用してこの取付穴にタッピンねじ７を螺設した上で、該タッピンねじのねじ頭と端子カバー４との間に跨がって側方から端子カバーの押え座板８を介挿し、該押え座板８を介してタッピンねじ７の締め付けにより端子カバー４を上方から押え込んで装着位置に固定する。【選択図】        図１
2009272149.tif 000002
【特許請求の範囲】
【請求項１】
回路遮断器の端子部を包囲して遮断器本体のモールドケースに装着した端子カバーをねじ締結して固定する回路遮断器の端子カバー取付構造において、
前記モールドケースのカバー側に穿孔した取付穴にタッピンねじを螺設した上で、該タッピンねじのねじ頭と端子カバーとの間に跨がって側方から端子カバーの押え座板を介挿し、該押え座板を介してタッピンねじの締め付けにより端子カバーを押え込んで装着位置に固定したことを特徴とする回路遮断器の端子カバー取付構造。
【請求項２】
請求項１に記載の端子カバー取付構造において、押え座板の側縁に、側方から押し込んでタッピンねじの軸部に嵌合するＵ字状溝部を形成したことを特徴とする回路遮断器の端子カバー取付構造。
【発明の詳細な説明】
【技術分野】
【０００１】
この発明は、配線用遮断器，漏電遮断器などを対象とした回路遮断器の端子カバー取付構造に関する。
【背景技術】
【０００２】
配線用遮断器，漏電遮断器の製品には、端子充電部の感電保護対策として、電源側，負荷側の端子部周域を包囲して回路遮断器のモールドケースの端部に装着する端子カバーが附属装置（オプション）として用意されている（例えば、特許文献１参照）。
この端子カバーについて、以前の旧型製品では特許文献１で開示されているように、ねじを使わずに差し込み操作だけで端子カバーを回路遮断器のモールドケースにワンタッチで装着できるようにしたねじレス方式の取付構造が一般的であった。
一方、近年になり配電機器の安全性確保が重要視され、これに伴い国際的にも安全規格の見直し，制定強化が進められている。そこで、この安全規格に準拠して端子カバーを回路遮断器のモールドケースに取付けるには、端子カバーをモールドケースにねじ締結して固定し、ドライバー（ねじ回し）などの工具を使用しない限りは端子カバーが外せないようにすることが必須で、最近の回路遮断器では多くの製品にこの対策が施されている。
次に、配線用遮断器を例に、前記の新しい安全規格に準拠して端子カバーが簡単に取り外しができないようにねじで固定した端子カバー取付構造を図４，図５に示す。なお、図４は回路遮断器に端子カバーを取付ける前の状態の分解斜視図、図５は回路遮断器の端子部に電線を接続して端子カバーを被せた使用状態を表している。
【０００３】
各図において、１はベ-スとカバーからなる配線用遮断器のモールドケース、２はモールドケース１のカバー側に設けた開閉ハンドル、３はモールドケース１の両端（電源側および負荷側）に構築した端子部１ａに配置した主回路端子、４は端子カバー、５が端子カバー４をモールドケース１に固定するタッピンねじである。
ここで、前記端子部１ａの相間隔壁の上面には、回路遮断器を制御盤などの取付板にねじ止めするための取付穴１ｂ（モールドケース１を貫通した座ぐり穴）のほかに、端子カバー４を固定する前記タッピンねじ５の下穴１ｃがあらかじめ穿孔されており、さらに端子部１ａの側縁には端子カバー４を係合する差込溝１ｄが形成されている。なお、前記取付穴１ｂは機種，フレームサイズに関係なく、全ての回路遮断器に穿孔されている。一方、端子カバー４の上面端部にはモールドケース１に取付けた状態で前記取付穴１ｂとの重なり合いを避けるように凹溝４ａが切欠き形成されており、さらにその左右両端には前記タッピンねじ５の通し穴４ｂが穿孔されている。
上記の構成で、回路遮断器に端子カバー４を装着するには、主回路端子３に配線用の電線（またはバー導体）を接続した状態でモールドケース１の端子部１ａに上方から端子カバー４を被せ、その側縁および相間挿入壁４ｃをそれぞれ前記差込溝１ｄおよび相間差込溝１ｅに挿入した上で、さらに端子カバー４の上面側からタッピンねじ５をモールドケース１に穿孔した前記下穴１ｃにねじ込んで固定する。なお、図５はモールドケース１に端子カバー４を被着，固定した状態を表し、主回路端子３に接続した電線６は端子カバー４を通して外部に引き出し配線されている。
【特許文献１】特開平１１−９６８８０号公報
【発明の開示】
【発明が解決しようとする課題】
【０００４】
ところで、図４，図５に示した従来の端子カバー取付構造では、メンテナンス性の面で次記のような課題がある。すなわち、
（１）メンテナンス時に回路遮断器の端子部を点検するには、その都度タッピンねじ５を完全に抜き取ってからでないと端子カバー４を外すことができない。このために、ドライバーのねじ操作で取り外したタッピンねじ５が脱落するなどして紛失するおそれがある。
（２）また、回路遮断器のモールドケース１から外した端子カバー４を保守，点検後に取付けるには、タッピンねじ５をモールドケース１に再度ねじ込むことになるが、この取付作業では前回のねじ込み操作時にねじ立てされたねじ穴の破損を防ぐために、細心の注意を払ってタッピンねじ５のねじ山合わせ，締め付けトルク管理を行う必要がある。
（３）さらに、タッピンねじ５の締め付け，取り外しを繰り返し行うと、いわゆる“ねじバカ”が生じてねじ締結の機能が低下する問題もある。
（４）そのほか、旧型の回路遮断器では、ねじレス方式の端子カバー（特許文献１参照）の適用を前提として、モールドケース１にはタッピンねじ５を螺合する下穴１ｃが設けられていないために、このままでは新しい安全規格に準拠した端子カバー４を旧型の回路遮断器のモールドケースにねじ締結して装着位置に固定することができない。
【０００５】
この発明は上記の点に鑑みなされたものであり、回路遮断器の新旧製品に関係なく、端子カバーを回路遮断器のモールドケースに装着することができ、さらに回路遮断器のメンテナンス時における端子カバーの着脱作業性改善に併せて、ねじ締結機能の信頼性向上が図れるように改良した回路遮断器の端子カバー取付構造を提供することを目的とする。
【課題を解決するための手段】
【０００６】
上記目的を達成するために、この発明によれば、回路遮断器の端子部を包囲して遮断器本体のモールドケースに装着した端子カバーをねじ締結して固定する回路遮断器の端子カバー取付構造において、
モールドケースのカバー側に穿孔されている遮断器取付用の取付穴を利用して該取付穴にタッピンねじを螺設した上で、該タッピンねじのねじ頭と端子カバーとの間に跨がって側方から端子カバーの押え座板を介挿し、該押え座板を介してタッピンねじの締め付けにより端子カバーを装着位置に押え込んで固定する（請求項１）。
また、前記の押え座板には、側方から押し込んでタッピンねじの軸部に嵌合するＵ字状溝部を形成する（請求項２）。
【発明の効果】
【０００７】
上記の取付構造によれば、回路遮断器のメンテナンス時に端子カバーを着脱する際には、その都度タッピンねじをモールドケースの取付穴から完全に取り外すことなく、ねじ締めを若干緩めた状態のまま、押え座板を側方に挿脱することにより、タッピンねじとの干渉なしに端子カバーを自由に取り外したり、装着することができ、これによりタッピンねじの脱落，紛失を防ぐことができる。また、タッピンねじを締め直す場合でも、取付穴にネジ立てされたねじ溝を潰したりしてねじバカが生じるおそれはなく、これによりねじ締結機能の信頼性，耐久性の改善が図れる。
しかも、回路遮断器のモールドケースに標準的に穿孔されている取付穴を利用して、この取付穴にタッピンねじを螺設したことにより、モールドケースに端子カバーを固定するタッピンねじの下穴がない回路遮断器でも柔軟に対応でき、新旧製品に関係なく新しい安全規格に準拠して回路遮断器のモールドケースに装着した端子カバーをねじ止めして安全性の向上化が図れる。
【発明を実施するための最良の形態】
【０００８】
以下、この発明の実施の形態を図１〜図３に示す実施例に基づいて説明する。なお、図１は回路遮断器に装着した端子カバーを装着位置にねじ締結する作業手順の説明図、図２は端子カバーをねじ締結した状態の要部拡大図、図３は端子カバーの押え座板の外形図であり、図４に対応する部材には同じ符号を付してその説明は省略する。
この実施例においては、図４で述べた手順により回路遮断器のモールドケース１の端子部１ａに上方から差込み装着した端子カバー４を自由に取り外せないように固定する手段として、モールドケース１の端子部１ａに穿孔されている回路遮断器の取付穴１ｂに螺設するタッピンねじ７と、タッピンねじ７のねじ軸部に嵌合する押え座板８を備えている。
ここで、タッピンねじ７は前記取付穴１ｂを下穴として、この下穴に適合するねじ径のタッピンねじを使用する。一方、押え座板８は、図３で示すように板の側縁に開口したＵ字状溝部８ａと、該Ｕ字状溝部８ａの背後にマイナスドライバー（ネジ回し）を差し込むスリット状のドライバー差込溝８ｂを形成した長方形のモールド樹脂板になる。なお、押え座板８の全長（横幅）は端子カバー４の上面端部に切欠き形成した凹溝４ａの横幅よりも大である。また、Ｕ字状溝部８ａはその開口端部が押え座板８の側縁から二股状に突き出しており、かつ該Ｕ字状溝内の中央溝幅はタッピンねじ７の軸径よりも一回り大きく、開口端の溝幅はタッピンねじ７の軸径より僅かに小さく設定されている。
【０００９】
そして、モールドケース１の上方から端子部１ａに差込装着した端子カバー４を前記のタッピンねじ７，押え座板８を用いて固定するには、端子カバー４の側縁および相間挿入壁４ｃ（図４参照）を端子部１ａの側縁差込溝１ｄおよび相間差込溝１ｅ（図４参照）に挿入し、図１のように押え座板８のＵ字状溝部８ａに嵌挿したタッピンねじ７をモールドケース１の取付穴１ｂに螺設して締め付ける。これにより、端子カバー４は押え座板８を介してタッピンねじ７により上方から押さえ込まれて装着位置に固定される（図２参照）。なお、この状態では押え座板８のＵ字状溝部８ａはその開口端の二股状突起がタッピンねじ７の軸部に係合しているので簡単に外れるおそれはない。
一方、回路遮断器のメンテナンス時に端子カバー４を取り外すには、まずドライバーなどの工具を使ってタッピンねじ７を僅かに緩めた上で、押え座板８の後端側に形成したドライバー差込溝８ｂにドライバーを差し込むか、指で摘んで図２の矢印Ｐ方向に引抜き操作してタッピンねじ７との係合を外す。これにより、タッピンねじ７との干渉なしに端子カバー４をモールドケース１の端子部１ａから上方に引き外すことができる。
また、メンテナンス作業の終了後に端子カバー４を取付けるには、モールドケース１の端子部１ａに上方から端子カバー４を差込み装着した後に、端子カバー４とタッピンねじ７のねじ頭との間に押え座板８を側方から挿入して押し込み、そのＵ字状溝部８ａをタッピンねじ７の軸部に嵌合させた上で、タッピンねじ７を締め付ける。
【００１０】
上記の説明で明らかなように、端子カバー４を着脱する際には、モールドケース１の取付穴１ｂに螺設したタッピンねじ７を取付穴１ｂから完全に取り外すことなく、僅かに緩めるだけで取付け，取り外し作業が進められ、これによりタッピンねじ７が脱落して紛失したりするおそれはない。また、タッピンねじ７を繰り返し締め直しても、モールドケース１の取付穴１ｂにねじ立てされたねじ山が潰されたりしてねじバカの生じるおそれがなく、これによりねじ締結機能の安定確保が図れる。
さらに、モールドケース１の端子部１ａに、図４に示したタッピンねじ５に対応する下穴１ｃを備えていない旧型の回路遮断器でも、端子カバー４を支障なくモールドケース１の取付穴１ｂにねじ締結して新しい安全規格に準拠して使用することができる。
【図面の簡単な説明】
【００１１】
【図１】この発明の実施例による端子カバーの取付構造，および取付手順の説明図で、回路遮断器のモールドケースに装着した端子カバーをねじ締結する直前の状態を表す斜視図
【図２】端子カバーをねじ締結した状態を表す図１の要部拡大図
【図３】図１における押え座板の外形斜視図
【図４】回路遮断器のモールドケースに装着してねじ締結する従来の端子カバー取付構造を表す分解斜視図
【図５】図４で端子カバーをねじ締結した取付状態を表す外形斜視図
【符号の説明】
【００１２】
１    モールドケース
１ａ  端子部
１ｂ  取付穴
１ｃ  タッピンねじ下穴
１ｄ  側縁差込溝
１ｅ  相間差込溝
２    開閉ハンドル
３    主回路端子
４    端子カバー
４ａ  凹溝
４ｂ  通し穴
４ｃ  相間挿入壁
５    タッピンねじ
７    タッピンねじ
８    押え座板
８ａ  Ｕ字状溝部
８ｂ  ドライバー差込溝
【図１】
2009272149.tif 000003
【図２】
2009272149.tif 000004
【図３】
2009272149.tif 000005
【図４】
2009272149.tif 000006
【図５】
2009272149.tif 000007